(57)【要約】【課題】プラズマディスプレイ装置において、減圧地域でのノイズ音を減少させることを目的とする。【解決手段】複数の放電セルを有するプラズマディスプレイパネル１０をシャーシ部材１１の前面側に保持しかつシャーシ部材１１の背面側に回路基板１３を配置して構成したモジュールと、このモジュールを収容しかつ前記プラズマディスプレイパネル１０の前面側に配置される前面保護カバー１６と前記シャーシ部材１１の背面側に配置されるバックカバー１７とを有する筐体とを備え、かつ前記モジュールの外周端部と前記前面保護カバー１６との間の間隙において、前記モジュールの少なくとも上部位置の間隙にこの間隙を塞ぐように吸音材２２を配置したもので、減圧地域でのノイズ音を減少させることができる。【選択図】図４
2007086125.tif 000002
【特許請求の範囲】
【請求項１】
複数の放電セルを有するプラズマディスプレイパネルを保持板の前面側に保持しかつ保持板の背面側に回路基板を配置して構成したモジュールと、このモジュールを収容しかつ前記プラズマディスプレイパネルの前面側に配置される前面保護カバーと前記保持板の背面側に配置されるバックカバーとを有する筐体とを備え、かつ前記モジュールの外周端部と前記前面保護カバーとの間の間隙において、前記モジュールの少なくとも上部位置の間隙にこの間隙を塞ぐように吸音材を配置したことを特徴とするプラズマディスプレイ装置。
【請求項２】
前面保護カバーは、プラズマディスプレイパネルの前面側の画像表示領域が表出する開口部を有する前面枠と、この前面枠の開口部に取付けられる保護板とを備えたことを特徴とする請求項１に記載のプラズマディスプレイ装置。
【請求項３】
吸音材は、モジュールのプラズマディスプレイパネルと前面保護カバーとの間の間隙を塞ぐように配置したことを特徴とする請求項１に記載のプラズマディスプレイ装置。
【請求項４】
吸音材は、モジュールのプラズマディスプレイパネルと前面保護カバーとの間の間隙を塞ぐように前記プラズマディスプレイパネルの外周端部と前面保護カバーとの間にプラズマディスプレイパネルの画像表示領域の周辺部に沿って枠状に配置したことを特徴とする請求項１に記載のプラズマディスプレイ装置。
【請求項５】
吸音材は、弾性を有する多孔質材により構成したことを特徴とする請求項１に記載のプラズマディスプレイ装置。
【請求項６】
複数の放電セルを有するプラズマディスプレイパネルを保持板の前面側に保持しかつ保持板の背面側に回路基板を配置して構成したモジュールと、このモジュールを収容しかつ前記プラズマディスプレイパネルの前面側に配置される前面保護カバーと前記保持板の背面側に配置されるバックカバーとを有する筐体と、前記プラズマディスプレイパネルと前面保護カバーとの間にプラズマディスプレイパネルの画像表示領域の周辺部に沿って配置した枠状の防塵部材とを備え、かつ前記モジュールの外周端部と前記前面保護カバーとの間の間隙において、前記モジュールの少なくとも上部位置で前記防塵部材の外側位置の間隙に、この間隙を塞ぐように吸音材を配置したことを特徴とするプラズマディスプレイ装置。
【請求項７】
吸音材は、プラズマディスプレイパネルの画像表示領域の周辺部に沿って配置した防塵部材の外側位置に全周にわたって配置したことを特徴とする請求項６に記載のプラズマディスプレイ装置。
【請求項８】
防塵部材及び吸音材は多孔質材により構成し、かつ吸音材の密度を防塵部材の密度より大きくなるように構成したことを特徴とする請求項６に記載のプラズマディスプレイ装置。
【発明の詳細な説明】
【技術分野】
【０００１】
本発明は、プラズマディスプレイパネルを表示デバイスとして用いたプラズマディスプレイ装置に関するものである。
【背景技術】
【０００２】
このプラズマディスプレイ装置に用いられるプラズマディスプレイパネルは、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のものである。
【０００３】
この面放電型のプラズマディスプレイパネル構造は、少なくとも前面側が透明な一対の基板を基板間に放電空間が形成されるように対向配置するとともに、前記放電空間を複数に仕切るための隔壁を基板に配置し、かつ前記隔壁により仕切られた放電空間で放電が発生するように基板に電極群を配置するとともに放電により発光する赤色、緑色、青色に発光する蛍光体を設けて複数の放電セルを構成したもので、放電により発生する波長の短い真空紫外光によって蛍光体を励起し、赤色、緑色、青色の放電セルからそれぞれ赤色、緑色、青色の可視光を発することによりカラー表示を行っている。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
このようなプラズマディスプレイ装置においては、ガラスが主材料のプラズマディスプレイパネルをアルミニウムなどの金属製の保持板の前面側に保持させ、その保持板の背面側にプラズマディスプレイパネルを発光させるための駆動回路を構成する回路基板を配置することによりモジュールを構成している（特許文献１参照）。
【特許文献１】特開２００３−１３１５８０号公報
【発明の開示】
【発明が解決しようとする課題】
【０００６】
ところで、このプラズマディスプレイ装置のプラズマディスプレイパネルは表面ガラス板と背面ガラス板とが隔壁を介して貼りあわされ、内部にはネオンを主体とする放電ガスが約５００Ｔｏｒｒで封入されており、通常は大気圧により表面ガラス板は背面ガラス板の隔壁に圧接されており、外気の気圧が低い地域、特に高度の高い場所で使用すると、プラズマディスプレイパネルから振動音によるノイズ音が発生する。
【０００７】
本発明はこのような問題を解決するもので、プラズマディスプレイ装置において、減圧地域でのノイズ音を減少させることを目的とする。
【課題を解決するための手段】
【０００８】
上記目的を達成するために本発明は、複数の放電セルを有するプラズマディスプレイパネルを保持板の前面側に保持しかつ保持板の背面側に回路基板を配置して構成したモジュールと、このモジュールを収容しかつ前記プラズマディスプレイパネルの前面側に配置される前面保護カバーと前記保持板の背面側に配置されるバックカバーとを有する筐体とを備え、かつ前記モジュールの外周端部と前記前面保護カバーとの間の間隙において、前記モジュールの少なくとも上部位置の間隙にこの間隙を塞ぐように吸音材を配置したことを特徴とする。
【０００９】
また、前面保護カバーは、プラズマディスプレイパネルの前面側の画像表示領域が表出する開口部を有する前面枠と、この前面枠の開口部に取付けられる保護板とを備えたことを特徴とする。
【００１０】
また、吸音材は、モジュールのプラズマディスプレイパネルと前面保護カバーとの間の間隙を塞ぐように配置したことを特徴とし、さらに吸音材は、モジュールのプラズマディスプレイパネルと前面保護カバーとの間の間隙を塞ぐように前記プラズマディスプレイパネルの外周端部と前面保護カバーとの間にプラズマディスプレイパネルの画像表示領域の周辺部に沿って枠状に配置したことを特徴とする。
【００１１】
また、吸音材は、弾性を有する多孔質材により構成したことを特徴とする。
【００１２】
さらに、複数の放電セルを有するプラズマディスプレイパネルを保持板の前面側に保持しかつ保持板の背面側に回路基板を配置して構成したモジュールと、このモジュールを収容しかつ前記プラズマディスプレイパネルの前面側に配置される前面保護カバーと前記保持板の背面側に配置されるバックカバーとを有する筐体と、前記プラズマディスプレイパネルと前面保護カバーとの間にプラズマディスプレイパネルの画像表示領域の周辺部に沿って配置した枠状の防塵部材とを備え、かつ前記モジュールの外周端部と前記前面保護カバーとの間の間隙において、前記モジュールの少なくとも上部位置で前記防塵部材の外側位置の間隙に、この間隙を塞ぐように吸音材を配置したことを特徴とする。
【００１３】
また、吸音材は、プラズマディスプレイパネルの画像表示領域の周辺部に沿って配置した防塵部材の外側位置に全周にわたって配置したことを特徴とする。
【００１４】
また、防塵部材及び吸音材は多孔質材により構成し、かつ吸音材の密度を防塵部材の密度より大きくなるように構成したことを特徴とする。
【発明の効果】
【００１５】
本発明によれば、高地などの外気減圧下でのノイズ音を減少させることができる。
【発明を実施するための最良の形態】
【００１６】
以下、本発明の一実施の形態によるプラズマディスプレイ装置について、図１〜図１１を用いて説明するが、本発明の実施の態様はこれに限定されるものではない。
【００１７】
まず、プラズマディスプレイ装置におけるプラズマディスプレイパネルの構造について図１を用いて説明する。図１に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【００１８】
また、前記前面側の基板１に対向配置される背面側の基板５上には、スキャン電極およびサステイン電極の表示電極２と交差するように、オーバーコート層６で覆われた複数列のストライプ状のデータ電極７が形成されている。このデータ電極７間のオーバーコート層６上には、データ電極７と平行に複数の隔壁８が配置され、この隔壁８間の側面およびオーバーコート層６の表面に蛍光体層９が設けられている。
【００１９】
これらの基板１と基板５とは、スキャン電極およびサステイン電極の表示電極２とデータ電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とデータ電極７との交点が位置する複数の放電セルが設けられ、その各放電セルには、赤色、緑色および青色となるように蛍光体層９が一色ずつ順次配置されている。
【００２０】
図２にこのプラズマディスプレイパネルの電極配列を示しており、図２に示すようにスキャン電極およびサステイン電極とデータ電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のデータ電極Ｄ１〜ＤＮが配列されている。
【００２１】
このような電極構成のプラズマディスプレイパネルにおいては、データ電極とスキャン電極の間に書き込みパルスを印加することにより、データ電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００２２】
図３は上記で説明した構造のプラズマディスプレイパネルを組み込んだ本発明の一実施の形態によるプラズマディスプレイ装置の全体構成を示す分解斜視図、図４は縦方向に切断した場合の断面図、図５はバックカバーを外して内部構成を見た平面図である。
【００２３】
図において、１０は上記で説明した構成の複数の放電セルを有するプラズマディスプレイパネルで、このプラズマディスプレイパネル１０は、アルミニウム製の平板を成形してなる放熱板を兼ねた保持板としてのシャーシ部材１１の前面側に、プラズマディスプレイパネル１０とシャーシ部材１１との間に放熱シート１２（図３には図示せず）を介在させて接着材などにより接着することにより、保持されている。また、シャーシ部材１１の後面側には、プラズマディスプレイパネル１０を表示駆動させるための駆動回路を構成する複数の回路基板１３が配置され、これによりモジュールが構成されている。
【００２４】
前記放熱シート１２は、プラズマディスプレイパネル１０をシャーシ部材１１の前面側に接着して保持し、プラズマディスプレイパネル１０で発生した熱をシャーシ部材１１に効率よく伝え、放熱を行うためのものであり、厚さは１ｍｍ〜２ｍｍ程度である。この放熱シート１２としては、アクリルやウレタン、シリコン樹脂やゴムなどの合成樹脂材料に熱伝導性を高めるフィラーを含有させた絶縁性の放熱シートや、グラファイトシート、金属シートなどを用いることができる。また、放熱シート自体に接着力を持たせ、プラズマディスプレイパネル１０をシャーシ部材１１に放熱シート１２のみで接着して保持する構成や、放熱シート１２には接着力がなく、別の両面接着テープを用いてプラズマディスプレイパネル１０をシャーシ部材１１に接着する構成などを用いることができる。
【００２５】
また、プラズマディスプレイパネル１０の両側縁部には、スキャン電極およびサステイン電極の電極引出部に接続されたフレキシブル配線板が設けられ（図示せず）、前記回路基板１３のうち、スキャン駆動回路、サステイン駆動回路を構成する回路基板１３にコネクタを介して接続されている。一方、プラズマディスプレイパネル１０の下部縁部には、図４、図５に示すように、データ電極の電極引出部に接続された複数のフレキシブル配線板１４が設けられ、そしてそのフレキシブル配線板１４は、前記シャーシ部材１１の背面側の下部位置に配置されたデータ電極駆動回路としての複数のデータドライバ１５それぞれに電気的に接続されている。
【００２６】
さらに、シャーシ部材１１の背面には、回路基板１３やデータドライバ１５を取付けるためのボス部１１ａが固定されている。
【００２７】
上記モジュールは、前記プラズマディスプレイパネル１０の前面側に配置される前面保護カバー１６と、前記シャーシ部材１１の背面側に配置される金属製のバックカバー１７とを有する筐体内に収容され、これによりプラズマディスプレイ装置が完成する。
【００２８】
前記前面保護カバー１６は、プラズマディスプレイパネル１０の前面側の画像表示領域が表出する開口部１８ａを有する樹脂や金属からなる前面枠１８と、この前面枠１８の開口部１８ａに取付けられかつ光学フィルターや電磁波の不要輻射を抑制するための不要輻射抑制膜が設けられたガラスなどからなる保護板１９とを備えた構成であり、前記保護板１９は、保護板１９の周辺部を前面枠１８の開口部１８ａの周縁部と保護板押え金具２０とで挟むことにより、前面枠１８に取り付けられている。また、前記プラズマディスプレイパネル１０と保護板１９との間には、画像表示領域の周辺部に沿って、ポリウレタンフォームなどの多孔質材からなる枠状の防塵部材２１が配置されている。
【００２９】
さらに、前記バックカバー１７には、プラズマディスプレイパネル１０等で発生した熱を外部に放出するための複数の通気孔（図示せず）が設けられている。
【００３０】
ここで、本発明においては、図４、図５に示すように、前記モジュールの外周端部と前記前面保護カバー１６との間の間隙において、前記モジュールの上部位置の間隙にこの間隙を塞ぐように吸音材２２を配置している。この吸音材２２としては、密度０．０１〜０．５ｇ／ｃｍ3程度のポリウレタンフォーム、ポリエチレンフォーム、ゴムスポンジなどの弾性を有する多孔質材により構成することができ、この吸音材２２は、前記モジュールの外周端部と前記前面保護カバー１６との間の間隙の容積より大きい寸法形状とし、前記隙間に、弾性を有する吸音材２２を圧縮した状態で挿入して配置している。
【００３１】
すなわち、図４に示すように、吸音材２２は、モジュールのプラズマディスプレイパネル１０の上端部と前面保護カバー１６との間の間隙を埋めて塞ぐように配置しており、プラズマディスプレイパネル１０から発生するノイズ音が、モジュールの上部位置の前面保護カバー１６との間を伝わって、モジュールとバックカバー１７との間の空間側に回り込むのを防止することができる。この吸音材２２は、モジュールの外周端部と前記前面保護カバー１６との間の間隙を全て塞ぐように配置するのが望ましいが、本発明者らの実験によれば、モジュールの少なくとも上部位置の間隙にこの間隙を塞ぐように吸音材２２を配置することで、高地などの外気減圧下において、８ＫＨｚのノイズ音を３１．０ｄＢから２５．９ｄＢに減少させることができることがわかり、モジュールの少なくとも上部位置の間隙にこの間隙を塞ぐように吸音材２２を配置することで十分な効果を得ることができる。
【００３２】
また、上記図４、図５に示す実施の形態においては、プラズマディスプレイパネル１０の下部縁部のみにデータ電極の電極引出部を設け、上部縁部には電極引出部を設けない、いわゆるシングルスキャン構造のプラズマディスプレイパネル１０に用いた場合の例で説明したが、プラズマディスプレイパネル１０の上下縁部に電極引出部を設ける、いわゆるデュアルスキャン構造のプラズマディスプレイパネル１０を用いる場合においても、本発明を適用することができる。
【００３３】
図６〜図１１は、そのデュアルスキャン構造のプラズマディスプレイパネル１０に本発明を適用する場合の実施の形態を示す図である。
【００３４】
まず、図６に示す例では、前記モジュールのプラズマディスプレイパネル１０の前面側の外周端部と前面保護カバー１６の保護板１８との間に、前記モジュールのプラズマディスプレイパネル１０と前面保護カバー１６との間の間隙を塞ぐように吸音材２３を配置したものである。すなわち、前記モジュールのプラズマディスプレイパネル１０の外周端部と前記前面保護カバー１６の保護板１８との間の間隙において、前記モジュールの上部位置で、かつプラズマディスプレイパネル１０の画像表示領域の周辺部に沿って配置した枠状の防塵部材２１の外側位置の間隙に、この間隙を塞ぐように吸音材２３を配置したものである。この吸音材２３としては、前記吸音材２２と同様、密度０．０１〜０．５ｇ／ｃｍ3程度のポリウレタンフォーム、ポリエチレンフォーム、ゴムスポンジなどの弾性を有する多孔質材により構成している。
【００３５】
また、この吸音材２３は、図７に示すように、枠状の防塵部材２１の外側位置でモジュールの上部位置のみに配置してもよいが、図８に示すように、プラズマディスプレイパネル１０の画像表示領域の周辺部に沿って配置した防塵部材２１の外側位置に、全周にわたって吸音材２３を枠状に配置してもよい。さらに、吸音材２３としては、密度が防塵部材２１の密度より大きくなるように構成するのが望ましく、例えば、防塵部材２１として、密度０．０２ｇ／ｃｍ3程度のポリウレタンフォームを使用した場合、吸音材２３としては、密度０．０３ｇ／ｃｍ3程度のポリウレタンフォームにより構成するのが望ましい。
【００３６】
なお、図６において、２４はモジュールの上部位置に配置された送風用ファンで、この送風用ファン２４は、図９に示すように、モジュールの上部位置に任意の間隔をあけて４個配置され、またバックカバー１７の送風用ファン２４に対応する位置には、上述した通気孔（図示せず）が設けられている。すなわち、モジュールとバックカバー１７との間の空間に配置された回路基板１３で発生する熱や、放熱シート１２を介してシャーシ部材１１に伝わるプラズマディスプレイパネル１０で発生した熱が、この送風用ファン２４によって筐体外に放出され、これにより筐体内が冷却されるように構成されている。
【００３７】
次に、図１０、図１１に示す例では、吸音材２３は、モジュールのプラズマディスプレイパネル１０と前面保護カバー１６との間の間隙を塞ぐように前記プラズマディスプレイパネルの外周端部と前面保護カバーとの間にプラズマディスプレイパネルの画像表示領域の周辺部に沿って枠状に配置し、防塵部材２１としての機能も兼用させたものである。
【００３８】
以上のように本発明によれば、モジュールの少なくとも上部位置の間隙にこの間隙を塞ぐように吸音材を配置しており、プラズマディスプレイパネルから発生するノイズ音が、モジュールの上部位置の前面保護カバー１６間を伝わって、モジュールとバックカバーとの間の空間側に回り込むのを防止することができ、高地などの外気減圧下において、ノイズ音を減少させることができる。
【００３９】
なお、上記説明では、前面保護カバー１６として、前面枠１８とガラスからなる保護板１９により構成する例を説明したが、本発明はこのような構成に限定されるものではなく、例えば、前面枠として、保護板１９を保持する前面部分と、モジュールの外周部を保護しかつバックカバー１７が取付けられる枠状の中間部分とに分割された構造であってもよい。
【産業上の利用可能性】
【００４０】
以上の説明から明らかなように本発明によれば、高地などの外気減圧下においても高品質のプラズマディスプレイ装置を得ることができるという有用な発明である。
【図面の簡単な説明】
【００４１】
【図１】本発明の一実施の形態によるプラズマディスプレイ装置のプラズマディスプレイパネルの概略構成を示す斜視図
【図２】同プラズマディスプレイ装置のプラズマディスプレイパネルの電極配列を示す説明図
【図３】同プラズマディスプレイ装置の内部の配置構造を示す分解斜視図
【図４】同プラズマディスプレイ装置の断面図
【図５】同プラズマディスプレイ装置のバックカバーを外して裏面から見た平面図
【図６】本発明の他の実施の形態によるプラズマディスプレイ装置の内部の配置構造を示す断面図
【図７】同プラズマディスプレイ装置の前面保護カバーを裏面から見た平面図
【図８】同プラズマディスプレイ装置の別の例による前面保護カバーを裏面から見た平面図
【図９】同プラズマディスプレイ装置のモジュールの背面側の配置構造を示す平面図
【図１０】本発明の他の実施の形態によるプラズマディスプレイ装置の内部の配置構造を示す断面図
【図１１】同プラズマディスプレイ装置の前面保護カバーを裏面から見た平面図
【符号の説明】
【００４２】
１０  プラズマディスプレイパネル
１１  シャーシ部材
１３  回路基板
１６  前面保護カバー
１７  バックカバー
１８  前面枠
１８ａ  開口部
１９  保護板
２１  防塵部材
２２、２３  吸音材
【図１】
2007086125.tif 000003
【図２】
2007086125.tif 000004
【図３】
2007086125.tif 000005
【図４】
2007086125.tif 000006
【図５】
2007086125.tif 000007
【図６】
2007086125.tif 000008
【図７】
2007086125.tif 000009
【図８】
2007086125.tif 000010
【図９】
2007086125.tif 000011
【図１０】
2007086125.tif 000012
【図１１】
2007086125.tif 000013